【事件の表示】
　特許第２９８９８２５号「衛生洗浄装置」の請求項１ないし３に係る特許に対する特許異議の申立てについて、次のとおり決定する。
【結　論】
　訂正を認める。
　特許第２９８９８２５号の請求項１ないし２に係る特許を維持する。
【理　由】
１．手続の経緯
　本件特許第２９８９８２５号に係る出願は、昭和６３年８月３０日の出願であって、平成１１年１０月８日にその特許の設定登録がなされ、その後経沢正巳から異議の申立がなされ、取消理由が通知され、その指定期間内である平成１３年６月２６日に訂正請求がなされたものである。
　
２．訂正の要旨
　訂正事項ａ：特許請求の範囲を、特許請求の範囲の減縮を目的として、以下の通り訂正する。
「【請求項１】洗浄水を人体の局部に対して吐出する衛生洗浄装置において、回転可能であって、回転角度に応じて一次流路（１１）から二次流路（１２）に導く洗浄水量を制御する弁体（９）を内蔵するバルブユニット（３）と、該バルブユニット（３）に固定され、使用者の操作に応じて前記弁体（９）に回転力を与えるモータ（８）とを備え、モータ（８）は前記弁体（９）と結合するための出力軸（１５）を備え、その出力軸（１５）に設けたストッパピン（１５ｂ）を前記バルブユニット（３）に設けたストッパ（３ｃ）に係合させて、出力軸（１５）の回転を一定範囲に規制したことを特徴とする衛生洗浄装置。
【請求項２】請求項１に記載の衛生洗浄装置において、前記モータ（８）は、前記バルブユニット（３）に固定されるための平坦面を備えたことを特徴とする衛生洗浄装置。」
　訂正事項ｂ：特許請求の範囲との整合を図るため、明瞭でない記載の釈明を目的として、明細書第５頁第１５行〜第６頁第７行「本発明の・・・できる。」を、以下の通り訂正する。
「本発明の衛生洗浄装置は、洗浄水を人体の局部に対して吐出する衛生洗浄装置において、回転可能であって、回転角度に応じて一次流路（１１）から二次流路（１２）に導く洗浄水量を制御する弁体（９）を内蔵するバルブユニット（３）と、該バルブユニット（３）に固定され、使用者の操作に応じて前記弁体（９）に回転力を与えるモータ（８）とを備え、モータ（８）は前記弁体（９）と結合するための出力軸（１５）を備え、その出力軸（１５）に設けたストッパピン（１５ｂ）を前記バルブユニット（３）に設けたストッパ（３ｃ）に係合させて、出力軸（１５）の回転を一定範囲に規制したことを特徴とする。また、前記モータ（８）は、前記バルブユニット（３）に固定されるための平坦面を備えることができる。」
　
３．訂正の適否
　上記訂正事項ａに係る訂正は、特許請求の範囲の減縮を目的とするものであり、しかもその訂正は、願書に添附した明細書又は図面に記載した事項の範囲内のものであり、さらに実質上特許請求の範囲を拡張し、又は変更するものではない。
　また、訂正事項ｂに係る訂正は、訂正事項ａに関連してなされた明瞭でない記載の釈明に該当し、願書に添附した明細書又は図面に記載した事項の範囲内のものであり、実質上特許請求の範囲を拡張し、又は変更するものではない。
　したがって、上記訂正は、特許法等の一部を改正する法律（平成６年法律第１１６号）附則第６条第１項の規定によりなお従前の例によるとされる、特許法第１２０条の４第３項で準用する平成６年法律第１１６号による改正前の特許法第１２６条第１項ただし書及び第２項の規定に適合するので、当該訂正を認める。
　  　
４．異議の申立てについての判断
（１）申立ての理由の概要
　申立人経沢正巳は、証拠として甲第１号証（特開昭６１−２５７５４６号公報）及び甲第２号証（真壁國昭著「ステッピング・モータの制御回路設計」ＣＱ出版株式会社　昭和６２年５月１０日　ｐ．２３〜２８）を提出して、本件請求項１、２及び３に係る特許発明は、甲第１号証に記載された発明であるから、特許法第２９条第１項第３号に掲げる発明に該当し、また、請求項３に係る特許発明は、甲第１号証及び甲第２号証に記載された発明に基づいてその発明の属する技術の分野における通常の知識を有する者が容易に発明をすることができたものであるから、特許法第２９条第２項に該当し、特許を受けることができないものであり、さらに、本件発明の特許請求の範囲及び明細書の詳細な説明の欄の記載に不備があり、請求項２及び３に係る発明は、特許法第３６条第４項及び第６項第２号（本件は昭和６３年出願であるから、特許法第３６条第３項及び第４項第２号）に規定する要件を満たしていない特許出願に対してなされたことから、請求項２及び３に係る特許は、取り消すべきであると主張している。
（２）特許法第３６条第３項及び第４項第２号に関して
　本件発明の特許請求の範囲の請求項２及び３における、「平坦面」は、モータのどこに設けるものであるかが記載されておらず、また、詳細な説明においても記載されていないから、発明が不明確で、「装置を小型化することができる」という効果を奏するために、モータのどこに平坦面を設けるかが、その発明の属する技術の分野における通常の知識を有する者が容易に実施をすることができる程度に記載されたものではないと、主張しているが、請求項２には、「モータ（８）は、前記バルブユニット（３）に固定されるための平坦面」と記載されており、「平坦面」は、モータのバルブユニットに固定される面に設けられることは、明らかであって、かつ、そうであれば、モータとバルブユニットが互いに接近しているので、装置を小型化することができるという効果を奏するから、本件発明の特許請求の範囲及び明細書の詳細な説明の欄の記載に不備があるという、主張は採用できない。
（３）本件訂正後発明
　訂正明細書の請求項１、２に係る発明（以下、「訂正後発明１」、「訂正後発明２」という。）は、訂正明細書の特許請求の範囲の請求項１、２に記載された以下のとおりのものである。
【請求項１】洗浄水を人体の局部に対して吐出する衛生洗浄装置において、回転可能であって、回転角度に応じて一次流路（１１）から二次流路（１２）に導く洗浄水量を制御する弁体（９）を内蔵するバルブユニット（３）と、該バルブユニット（３）に固定され、使用者の操作に応じて前記弁体（９）に回転力を与えるモータ（８）とを備え、モータ（８）は前記弁体（９）と結合するための出力軸（１５）を備え、その出力軸（１５）に設けたストッパピン（１５ｂ）を前記バルブユニット（３）に設けたストッパ（３ｃ）に係合させて、出力軸（１５）の回転を一定範囲に規制したことを特徴とする衛生洗浄装置。
【請求項２】請求項１に記載の衛生洗浄装置において、前記モータ（８）は、前記バルブユニット（３）に固定されるための平坦面を備えたことを特徴とする衛生洗浄装置。
（４）特許法第２９条第１項第３号及び特許法第２９条第２項に関して
（４−１）引用刊行物に記載の発明
　当審が通知した取消理由に引用した刊行物１（特開昭６１−２５７５４６号公報、異議申立人提出の甲第１号証）には、特許請求の範囲、第２頁右上欄第８行から同左下欄第５行及び第１図の記載を参照すると、「洗浄水を人体局部に放出する衛生洗浄装置において、水道管から湯沸手段に導く流路の途中に回転軸の角度に応じて洗浄水の流量を制御する弁機構と、弁機構の回転軸と同軸に接続され、操作パネルによって入力された角度まで弁機構の回転軸を回転させるステップモータとを備えた衛生洗浄装置」が記載されている。
　また、同じく刊行物２（実願昭６０−４７６３９号（実開昭６１−１６４３８２号）のマイクロフィルム）には、衛生洗浄装置に関し、第４頁第１９行から第５頁第２行に「バルブユニット６内は、洗浄水の供給・停止及び流量調整するニードル弁を備えた構成で、このニードル弁は操作部ケーシング２に配置した洗浄水の水勢調節用の摘み１５により行う。」と記載されている。
　さらに、同じく刊行物３（真壁國昭著「ステッピング・モータの制御回路設計」ＣＱ出版株式会社　昭和６２年５月１０日、異議申立人提出の甲第２号証）には、第２３頁の写真１．６に、出力軸を突出した平坦面を有する中型ステッピング・モータが記載されていると認められる。
（４−２）対比・判断　
　訂正後発明１と、刊行物１に記載された発明とを比較すると、刊行物１に記載された発明の「水道管から弁機構までの流路」、「弁機構から湯沸手段までの流路」及び「回転軸の角度に応じて洗浄水の流量を制御する弁機構」は、それぞれ、訂正後発明１の「一次流路」、「二次流路」及び「回転角度に応じて洗浄水量を制御する弁体」に相当し、刊行物１に記載された発明の「操作パネルによって入力された角度まで弁機構の回転軸を回転させるステップモータ」は、訂正後発明１の「使用者の操作に応じて弁体に回転力を与えるモータ」に対応するから、両者は、洗浄水を人体の局部に対して吐出する衛生洗浄装置において、回転可能であって、回転角度に応じて一次流路から二次流路に導く洗浄水量を制御する弁体と、使用者の操作に応じて前記弁体に回転力を与えるモータとを備えている衛生洗浄装置の点で一致し、下記の点で相違している。
ａ．訂正後発明１では、弁体がバルブユニットに内蔵されていて、モータはバルブユニットに固定されているのに対し、刊行物１に記載された発明では、モータは弁機構の回転軸と同軸に接続されているだけである点。　
ｂ．訂正後発明１では、モータは弁体と結合するための出力軸を備え、その出力軸に設けたストッパピンをバルブユニットに設けたストッパに係合させて、出力軸の回転を一定範囲に規制したのに対し、刊行物１に記載された発明では、そのような構成を有していない点。
　しかしながら刊行物２には、上記相違点ａにおける訂正後発明１の弁体と同様に、衛生洗浄装置において、使用者の操作に応じて洗浄水の流量を調整するニードル弁がバルブユニットに内蔵されている構成が記載されており、これを、刊行物１に記載された発明に採用することは、当業者が適宜なし得ることにすぎず、弁体がバルブユニットに内蔵されていれば、弁機構の回転軸と同軸に接続されるモータを、上記相違点ａにおける訂正後発明１のモータと同様に、バルブユニットに固定する程度のことは当業者が容易に想到することにすぎない。
　また、刊行物３には、第２３頁の写真１．６に、出力軸を突出した中型ステッピング・モータが記載されており、刊行物１に記載された発明のモータとして、刊行物３に記載された発明のモータを採用することは、当業者が適宜なし得ることにすぎないから、上記相違点ｂにおける訂正後発明１の「モータは弁体と結合するための出力軸を備え」ることは、当業者が容易に想到する程度のことにすぎないが、相違点ｂにおける訂正後発明１の「その出力軸に設けたストッパピンをバルブユニットに設けたストッパに係合させて、出力軸の回転を一定範囲に規制した」という構成は、刊行物１〜３のいずれにも記載されておらず、示唆するところもなく、かつ周知技術でもない。そして、訂正後発明１は、当該構成によって明細書記載の作用効果を奏するものである。
　したがって、訂正後発明１は、上記刊行物１に記載された発明と同一又は実質的に同一であるとはいえないし、また、上記刊行物１〜３に記載された発明に基づいて、当業者が容易に発明をすることができたものであるともいえない。
　さらに、訂正後発明２は、訂正後発明１を技術的に限定したものであり、訂正後発明２についても、訂正後発明１で検討したのと同様のことがいえるから、訂正後発明２も、刊行物１に記載された発明と同一又は実質的に同一であるとも、刊行物１〜３に記載された発明に基づいて当業者が容易に発明をすることができたものともいえない。
　
５．むすび
　以上のとおりであるから、異議申立ての理由及び証拠によっては、本件訂正後発明１、２に係る特許を取り消すことはできない。
　また、他に本件訂正後発明１、２に係る特許を取り消すべき理由を発見しない。
　よって、結論のとおり決定する。
【異議決定日】
平成１３年７月１９日（２００１．７．１９）
【訂正の要旨】
訂正の要旨
　特許第２９８９８２５号の明細書を、特許請求の範囲の減縮を目的として訂正事項ａのように、また、訂正事項ａに関連してなされた明瞭でない記載の釈明を目的として訂正事項ｂのように訂正する。
　訂正事項ａ：特許請求の範囲を、以下の通り訂正する。
「【請求項１】洗浄水を人体の局部に対して吐出する衛生洗浄装置において、回転可能であって、回転角度に応じて一次流路（１１）から二次流路（１２）に導く洗浄水量を制御する弁体（９）を内蔵するバルブユニット（３）と、該バルブユニット（３）に固定され、使用者の操作に応じて前記弁体（９）に回転力を与えるモータ（８）とを備え、モータ（８）は前記弁体（９）と結合するための出力軸（１５）を備え、その出力軸（１５）に設けたストッパピン（１５ｂ）を前記バルブユニット（３）に設けたストッパ（３ｃ）に係合させて、出力軸（１５）の回転を一定範囲に規制したことを特徴とする衛生洗浄装置。
　【請求項２】請求項１に記載の衛生洗浄装置において、前記モータ（８）は、前記バルブユニット（３）に固定されるための平坦面を備えたことを特徴とする衛生洗浄装置。」
　訂正事項ｂ：明細書第５頁第１５行〜第６頁第７行「本発明の・・・できる。」を、以下の通り訂正する。
「本発明の衛生洗浄装置は、洗浄水を人体の局部に対して吐出する衛生洗浄装置において、回転可能であって、回転角度に応じて一次流路（１１）から二次流路（１２）に導く洗浄水量を制御する弁体（９）を内蔵するバルブユニット（３）と、該バルブユニット（３）に固定され、使用者の操作に応じて前記弁体（９）に回転力を与えるモータ（８）とを備え、モータ（８）は前記弁体（９）と結合するための出力軸（１５）を備え、その出力軸（１５）に設けたストッパピン（１５ｂ）を前記バルブユニット（３）に設けたストッパ（３ｃ）に係合させて、出力軸（１５）の回転を一定範囲に規制したことを特徴とする。また、前記モータ（８）は、前記バルブユニット（３）に固定されるための平坦面を備えることができる。」
（５４）【発明の名称】
衛生洗浄装置
（５７）【特許請求の範囲】
　【請求項１】　洗浄水を人体の局部に対して吐出する衛生洗浄装置において、回転可能であって、回転角度に応じて一次流路（１１）から二次流路（１２）に導く洗浄水量を制御する弁体（９）を内蔵するバルブユニット（３）と、該バルブユニット（３）に固定され、使用者の操作に応じて前記弁体（９）に回転力を与えるモータ（８）とを備え
、モータ（８）は前記弁体（９）と結合するための出力軸（１５）を備え、その出力軸（１５）に設けたストッパピン（１５ｂ）を前記バルブユニット（３）に設けたストッパ（３ｃ）に係合させて、出力軸（１５）の回転を一定範囲に規制した
　【請求項２】　請求項１に記載の衛生洗浄装置において、前記モータ（８）は、前記バルブユニット（３）に固定されるための平坦面を備えたことを特徴とする衛生洗浄装置。
【発明の詳細な説明】
　【発明の属する技術分野】
　本発明は、局部洗浄機能を備えた衛生洗浄装置に係り、特に洗浄水の流量を調整するバルブユニットの改良に関する。
　【従来の技術】
　従来から、局部洗浄機能を持つ衛生洗浄装置をたとえば腰掛式の水洗便器等に据付けたものが利用されている。衛生洗浄装置は、そのケーシング内に局部洗浄用のノズルを備え、このノズルに洗浄用の温水を供給するための温水タンク又は熱交換器等を設けたものである。そして、ノズルの作動及び洗浄水の温度や流量を制御するための制御部を設けて快適な洗浄が行える構成を持たせている。
　温水タンク又は熱交換器等から加熱された洗浄水をノズルへ送り込むための配管系には、電磁弁やニードル弁等を含む流路開閉及び流量調整用のバルブユニットを備えている。そして、外部の給水源に連絡する給水管や温水タンクヘの供給管がこのバルブユニットに接続される。
　このようなバルブユニットを備えた衛生洗浄装置としては、本出願人が先に出願して実開昭６１−１６４３８２号として公開されたものがある。これは、バルブユニットに流量調整用として設けたニードル弁をケーシングに設けた調整摘みによって操作する構成としたものである。そして、調整摘みとニードル弁との間には可撓性のケーブルを設け、手動による操作で洗浄水の流量を調整できるようにしている。
　【発明が解決しようとする課題】
　ところが、ケーシングに調整摘みを設けると、その軸部がケーシングを貫通した構造となる。一方、水周り機器の一種である衛生洗浄装置では、内蔵した制御部や操作部等の電気回路に水が浸入することは漏電事故等の原因となるため、軸部周りをシールする必要がある。このため、ケーシングの形状自体も複雑となるほか、調整摘みが突き出るので、埃等が積りやすく、掃除もし難いという面がある。
　また、調整摘みからバルブユニットまでにケーブルを設けるので、そのための配線スペースを必要とし、組立も煩雑になる。更に、ケーブルによって機械的な遠隔操作によってバルブユニットの弁体を動かすので、ケーブルの配線が不良であったり弁体との機械的な接続が不十分であると、調整摘みの回転量に対応しない弁開度となって適正な流量調整に支障をきたしてしまう。
　ニードル弁を用いる場合、流路内へ向けて進退する弁体の回転角度によって流路面積を変更する構造が一般的である。そして、調整摘みの回転角度に比例して流路面積を増減させることで流量調整することが基本である。しかし、バルブユニット内に設ける洗浄水の流路は、製作加工の面から円形断面が一般的であり、弁体をこの流路断面を横切るように配置したり、流路端に同軸配置される。このため、弁体が完全に流路を閉じた状態から一定速度で開く方向へ移動させるときには、流路面積の増加率を一様とすることは困難であり、流量特性はたとえば第１２図の（ａ）及び（ｂ）等のパターンとなることが通常である。
　このようなニードル弁を用いたときの流量特性に対し、流量調整摘みの回転角度に対して流路面積をほぼ比例して増減させることが必要となる。しかし、調整摘みの機械的な回転をケーブルによってニードル弁に直結した構成では、調整摘みの回転角度に対応してニードル弁が回転するので、流路面積をリニアに変化させることは不可能である。このため、調整摘み周りに流量の大小を判別する表示部を設けるにしても、定量的に正確な数値表示とすることはできない。したがって、表示も正確なものではないために、適正な洗浄水の量の設定に支障をきたすことが多い。
　そこで、本発明は、電動機をニードル弁の弁体に直結して構造を簡単にすると共に流量の設定が定量的に確実に行えるようにすることを目的とする。
　【課題を解決するための手段】
　本発明の衛生洗浄装置は、洗浄水を人体の局部に対して吐出する衛生洗浄装置において、回転可能であって、回転角度に応じて一次流路（１１）から二次流路（１２）に導く洗浄水量を制御する弁体（９）を内蔵するバルブユニット（３）と、該バルブユニット（３）に固定され、使用者の操作に応じて前記弁体（９）に回転力を与えるモータ（８）とを備え、モータ（８）は前記弁体（９）と結合するための出力軸（１５）を備え、その出力軸（１５）に設けたストッパピン（１５ｂ）を前記バルブユニット（３）に設けたストッパ（３ｃ）に係合させて、出力軸（１５）の回転を一定範囲に規制したことを特徴とする。
また、前記モータ（８）は、前記バルブユニット（３）に固定されるための平坦面を備えることができる。
　【発明の実施の形態】
　【実施例】
　以下、図面に示す実施例により本発明の特徴を具体的に説明する。
　第１図は本発明の衛生洗浄装置を備えた水洗便器の斜視図である。
　図において、腰掛式の便器本体Ａの後部側の上面を跨いで局部洗浄用の衛生洗浄装置Ｂが配置され、そのケーシング１に便座１ａ及び便蓋１ｂを開閉自在に備え、更にノズル１ｃがほぼ中央部分に配置されている。
　第２図はケーシング１の内部を示す概略平面図であり、内部の左端にはヒータや温度センサ等を内蔵した温水タンク２を配置し、その右側にバルブユニット３を設けている。このバルブユニット３には外部の給水源に連絡する給水管４ａが接続されると共に、温水タンク２との間に供給管４ｂを配管している。また、温水タンク２によって加熱された洗浄水は、給送管４ｃによってノズル１ｃに送られる。なお、ノズル１ｃは電動機を備えたノズル駆動装置１ｄに含まれ、図示の収納位置から第１図の洗浄位置まで進出して洗浄水を噴出可能に構成されている。
　第３図はバルブユニット３を経由して送り込まれる洗浄水の流れを示すブロック図であり、バルブユニット３には減圧弁，電磁開閉弁及びニードル弁が収納され、この他に不感水量対策としての流路系が備えられている。
　第４図及び第５図はバルブユニット３の全体を示す平面図及び正面図である。
　図において、給水管４ａに接続される流入管３ａに連通する減圧弁５から順に電磁開閉弁６及び流量調整用のニードル弁７を経る流路が内部に形成されている。そして、流出管３ｂが温水タンク２への供給管４ｂに接続され、設定された流量の水が温水タンク２へ送り込まれる。
　減圧弁５は、給水管４ａから流入する水に抵抗を与えて適切な供給水圧となるまで減圧する機能を果たす。そして、その具休的な構造は、一般に利用されている絞り弁の機構を利用し、その弁体による流路の絞りを据え付け条件に合わせて予め設定しておくもの等が採用される。また、電磁開閉弁６は、温水タンク２への流路を開いて水の供給を可能とするもので、減圧弁５側の流路とにードル弁７側の流路を開閉することによって、水の供給及び停止を行なう。この電磁開閉弁６の構造例としては、滅圧弁５と同様に従来から利用されている電磁コイルヘの通電によって弁体を移動させるもの等が利用できる。
　ニードル弁７は、電磁開閉弁６からの流路と流出管３ｂとの間に位置し、弁体の絞りによって温水タンク２への水の供給流量を調整し、ノズル１ｃからの洗浄温水の水勢を調節する機能を果たす。そして、このニードル弁７の弁体は、バルブユニット３に一体化したモータ８に直結され、その出力軸の正逆回転により弁体を進退させ、流路面積を変えることによって温水タンク２への流量を調節する構造となっている。
　第６図はモータ８を除いてその取付面側から見たバルブユニット３の側面図、第７図は第６図のＩＩ−ＩＩ線矢視位置による要部の拡大縦断面図である。
　図において、バルブユニット３の側面にはモータ８をビス８ａで固定するための固定座８ｂを設け、このモータ８の出力軸に直結されて回転する弁体９がチャンバ１０の中に挿入されている。チャンバ１０は、壁側に大径の雌ネジ１０ａを形成すると共に先端側に向けて小径の流路孔１０ｂを同軸上に設けている。そして、流路孔１０ｂは、電磁開閉弁６側に連絡した一次流路１１と流出管３ｂ側に連絡した二次流路１２とが接続可能となるように形成され、流路孔１０ｂと一次流路１１との間の隔壁１３には弁孔１４が開けられている。
　一方、弁体９はその基端部に雄ネジ９ａを形成してチャンバ１０の雌ネジ１０ａに螺合され、回転によって軸線方向へ移動可能である。また、弁体９の先端には、隔壁１３の弁孔１４に嵌まり込むヘッド９ｂが円錐台状に形成され、図示の状態では弁孔１４を閉じている。そして、弁体９を回転させながら左側へ移動させると、ヘッド９ｂの外周壁がテーパ状となっているので、弁孔１４の内周壁との間にできる環状流路の断面が次第に大きくなり、通過流量を増やすことができる。また、弁体９の基端部には、モータ８の出力軸を嵌め込むための連結孔９ｃを軸線方向に穿つと共に、その周壁には係合溝９ｄを半径方向に突き出して設けている。
　第８図及び第９図はモータ８を示すもので、バルブユニット３の側壁に固定するために一面を平坦面として、出力軸１５を突き出している。出力軸１５は、弁体９の連結孔９ｃに嵌まり込むと同時に係合ピン１５ａを半径方向に突き出してこれを係合溝９ｄに挿入して一体化される。また、係合ピン１５ａとは別にストッパピン１５ｂを出力軸１５の基端側に設け、これをバルブユニット３の側壁に突き出した円弧状のストッパ３ｃに係合させ、出力軸１５の回転を一定範囲に規制する。
　更に、バルブユニット３には、温水タンク２への水の供給系以外に、第３図のブロック図に示すように、不感水量対策として逆止弁１６を経て捨水管１７に向かう流路を分岐させている。第１０図は第４図のＩ−１線矢視断面図であって逆止弁１６部分の流路構造を示している。逆止弁１６の弁体１６ａへの流路１６ｂは電磁開閉弁６の下流側でニードル弁７方向への流路と分岐したものである。また、逆止弁１６の下流側であって捨水管１７へ向かう捨水流路１６ｃには、オリフィス１８が設けられている。なお、第３図のように、このオリフィス１８と並列して安全弁を設けることもできる。
　温水タンク２内のヒータ，ノズル駆動装置１ｄ及びニードル弁７用のモータ８への通電の制御は、ケーシング１の表面に設けた操作パネル１９によって行う。この操作パネル１９の下には、第２図に示すようにインシュレータ１９ａが配置され、ノズル１ｃによる洗浄開始，停止，乾燥開始等のスイッチ２０がこのインシュレータ１９ａに設けられている。また、モータ８を作動してニードル弁７の弁体９の移動量を設定することにより流量調整するための第１設定ボタンスイッチ２１及び第２設定ボタンスイッチ２２も設けられている。そして、これらの第１，第２設定ボタンスイッチ２１，２２の間には、洗浄水の流量の大きさを表示するための表示部２３が配置されている。
　なお、操作パネル１９は、薄肉の合成樹脂製のシート１９ｂをケーシング１の表面に貼り付けたものであり、その表面に各スイッチに対応して機能の表示を設けている。そして、これらの機能表示部分を押すことで、各スイッチやボタンを作動させることができる。
　第１設定ボタンスイッチ２１は、洗浄水の流量を減らすためのもので、これを押したときの通電によって、第７図において弁体９が右側へ移動するようにモータ８の出力軸１５を回転させる。また、第２設定ボタンスイッチ２２は洗浄水の流量を増やすもので、出力軸１５を逆転させて弁体９が弁孔１４から離れる方向へ移動させる。そして、第１，第２設定ボタンスイッチ２１，２２は、これらを押し続けることで出力軸１５を連続的に回転させ、流量を任意の値に設定可能である。
　表示部２３は、７個のパイロットランプ２３ａ〜２３ｇを配列したもので（第１１図参照）、これらの点灯によって洗浄水の流量を定量的に知ることができる。つまり、前記のように第１，第２設定ボタンスイッチ２１，２２のいずれかを押し続ければ、モータ８の正逆回転によって弁体９が移動し、流路面積の増減によって洗浄水の流量を変えることができ、流量をパイロットランプ２３ａ〜２３ｇによって目で確認できる。
　ここで、ニードル弁を利用した場合には、流量特性が必ずしもリニアでなく、第１２図に示したような特性曲線となることは既に述べた。したがって、パイロットランプ２３ａ〜２３ｇによって適正に流量の表示を行うには、単に弁体９の回転角度を基準として表示しても、流量を定景的に知ることはできない。
　第１１図は、ニードル弁７が第１２図（ａ）の流量特性を持つと仮定したときの、各パイロットランプ２３ａ〜２３ｊによる表示を示すものである。パイロットランプ２３ａ〜２３ｇによる表示可能な流量の大きさは７個なので、最小流量から最大流量までをΔｑで７区画に分割し、このときの縦軸の流量に対応する弁体９の回転角度θをそれぞれ求める。そして、回転角度θの値の範囲０〜６までに対応するように各パイロットランプ２３ａ〜２３ｇを点灯させれば、流量が一定量すなわちΔｑだけ増減していることを確認できる。たとえば流量が「３」の範囲にあるときには、パイロットランプ２３ｄが点灯し、隣のパイロットランプ２３ｃが点灯するとΔｑだけ流量が減り、またパイロットランプ２３ｅが点灯すれば同様にΔｑだけ流量が増えたことが確認できる。このように、各パイロットランプ２３ａ〜２３ｇの点灯によって、流量特性がリニアでなくても、流量の増加又は減少割合をΔｑという一定値の変化分として確認できる。
　【発明の効果】
　以上に説明したように、本発明の衛生洗浄装置においては、バルブユニットに組み込んだ流量調整用弁体を操作部のスイッチによって作動するモータにより駆動して洗浄水の流量を設定することができるので、従来構造に比べると、ケーブル等の部材が不要となり構造の簡略化が図られる。そして、モータが弁体を内蔵するバルブユニットに固定されているため、互いに接近しているので、装置を小型化することができる。
【図面の簡単な説明】
　第１図は本発明の衛生洗浄装置を備えた水洗便器の斜視図、
　第２図は衛生洗浄装置のケーシング内部を示す概略平面図、
　第３図はバルブユニットによる洗浄水のフローを示すブロツク図、
　第４図はバルブユニットの平面図、
　第５図は同正面図、
　第６図は同側面図、
　第７図は第４図のＩＩ−ＩＩ線矢視による要部拡大断面図、
　第８図はモータの正面図、
　第９図は同側面図、
　第１０図は第４図のＩ−１線矢視断面図、
　第１１図は流量特性と表示の関係を示す説明図、
　第１２図はニードル弁を用いたときの流量特性の例を示すものである。
　【符号の説明】
１：ケーシング、　　　　１ａ：便座、
１ｂ：便蓋、　　　　　　　１ｃ：ノズル
１ｄ：ノズル駆動装置、　　２：温水タンク
３：バルブユニット、　　　３ａ：流入管、
３ｂ：流出管、　　　　　　３ｃ：ストッパ、
４ａ：給水管、　　　　　　４ｂ：供給管、
５：減圧弁、　　　　　　　６：電磁開閉弁、
７：ニードル弁、　　　　　８：モータ、
８ａ：ビス、　　　　　　　８ｂ：固定座
９：弁体、　　　　　　　　９ａ：雄ネジ
９ｂ：ヘッド、　　　　　　　９ｃ：連結孔
９ｄ：係合溝、　　　　　　　１０：チャンバ
１０ａ：雌ネジ、　　　　　　１０ｂ：流路孔
１１：一次流路、　　　　　　１２：二次流路
１３：隔壁、　　　　　　　　１４：弁孔
１５：出力軸、　　　　　　　１５ａ：係合ピン
１５ｂ：ストッパピン、　　　１６：逆止弁
１６ａ：弁休、　　　　　　　１６ｂ：流路
１６ｃ：捨水流路、　　　　　１７：捨水管
１８：オリフィス、　　　　　１９：操作パネル
１９ａ：インシュレータ、　　１９ｂ：シート
１０：スイッチ
２１：第１設定ボタンスイッチ
２２：第２設定ボタンスイッチ
２３：表示部
２３ａ〜２３ｇ：パイロットランプ
Ａ：便器本体、Ｂ：衛生洗浄装置